(57)【要約】      （修正有）【課題】軽量型枠ブロックを法面保護、路盤安定用に使用する際の相対する型枠ブロックの連結部にタッピングビスを使用して一体化し、作業の能動化と、錆び等の発生するのを防止する軽量型枠ブロックのタッピングビスによる連結装置を提供するものである。【解決手段】型枠ブロックと型枠ブロックの構成材料を高密度ポリエチレン製を以って成形され、相対する該型枠ブロックには、各々長手方向に湾曲凸部と湾曲凹部とを連帯して形成し、相対する湾曲凸部と接触する連結部及び端縁と隣接する接続とにステンレス等の錆びに強いタッピングビスを捻じ込んで固定することを特徴としている。【選択図】図１
0003128107.tif 000002
【実用新案登録請求の範囲】
【請求項１】
ハニカム型に展張された複数の型枠ブロックを連結する軽量型枠のタッピングビスによる連結装置において、該型枠ブロック（Ａ）と型枠ブロック（Ｂ）は、高密度ポリエチレンの合成樹脂を以って各々長手方向に湾曲凸部（１）及び湾曲凸部（４）とを有し、該湾曲凸部（１）及び該湾曲凸部（４）と連帯して湾曲凹部（２）と湾曲凹部（５）を形成し、該湾曲凸部（１）と該湾曲凸部（４）との接触する連結部（３）には、ステンレス製等の錆びに強いタッピングビス（６）（６）を捻じ込みによって固定したことを特徴とする軽量型枠のタッピングビスによる連結装置。
【請求項２】
請求項１における型枠ブロック（Ａ）又は型枠ブロック（Ｂ）の端縁（９）と、横方向に隣接する型枠ブロック（Ｃ）の端縁（９）との四重の端縁にタッピングビス（６）（６）を捻じ込み固定することを特徴とする請求項１の軽量型枠のタッピングビスによる連結装置。
【請求項３】
請求項１における型枠ブロック（Ａ）と型枠ブロック（Ｂ）及び型枠ブロック（Ｃ）には、所定の位置に多数の貫通孔（７）（７）を穿設したことを特徴とする請求項１の軽量型枠のタッピングビスによる連結装置。
【考案の詳細な説明】
【利用分野】
【０００１】    本考案は、土木工事の際に使用される高密度ポリエチレンの合成樹脂よりなる軽量の型枠によって、法面の保護及び路盤安定用に使用する際に各型枠材料を前後左右に連結して一体化することで、強度と連続性を保持させるための軽量型枠のタッピングビスによる連結装置に関するものである。
【背景技術】
【０００２】  従来この種の軽量型枠の連結装置としては、各型枠の接合面に穴を穿設して鉄線を以って結束するものか、または、空気工具であるエアーステープラーを使用するものでは、発電機及びエアーコンプレッサー等が作業に必要となる問題点がある。
【考案の開示】
【考案が解決しよとうする課題】
【０００３】  本考案は、上記従来で実施されているものでは、前者に述べている鉄線等で結束するものでは、それ自体に強靭性が無く、短期間に於いて、鉄錆びが発生し、効果を達成できない欠点がある。また、後者におけるエアーステープラーによる固定方法では、図５に示す如く、帯辺（１１）（１１）の接合部（１２）に於いて、金属ステープル（１３）によって、ホチキス状に挟持する固定方法では、金属ステープル（１３）が横方向に対する強度は充分に考えられるが、前後の引っ張りに対する強度が不足する欠点と、鉄製であり部材も細い為に鉄錆びが容易に生ずる欠点がある。
本考案は、上記各種の欠点に鑑みて考案したもので、その主たる目的とする所は、相対する型枠ブロックの連繋部分にタッピングビスを使用することによって該型枠ブロックに穴を穿設する必要がなく、直接にタッピングビスを捻じ込んで接続固定する軽量型枠のタッピングビスによる連結装置である。
【課題を解決するための手段】
【０００４】  上記目的を達成するために、本考案においては、配列された複数の型枠ブロックは、その構成材料をポリエチレンの合成樹脂を以って長手方向に湾曲凸部と湾曲凹部が形成され、複数の型枠ブロックに設けられている湾曲凸部の相対する接続する連結部には、ステンレス製よりなる錆びに強いタッピングビスを捻じ込むことによって強固に固定するものである。また、複数の型枠ブロックには、各々所定位置に通水等の役目を果す貫通孔を穿設してある。
【考案の効果】
【０００５】  本考案は、以上の様なタッピングビスによる連結装置によれば、従来のように、型枠ブロックに穴を穿設する面倒な手間が不用となると共に、空気工具のエアーコンプレッサーも使用する必要もない便利な効果と、鉄製により生ずる錆びに対しても充分に対応できる効果もある。そして、各型枠ブロックの構成材料を高密度ポリエチレン製の合成樹脂を使用したので、非常に軽量であると共に、強度にも優れる効果がある。また、相対応する型枠ブロックが設けた湾曲凸部に対して、ステンレス製のタッピングビスを穴を穿設することなく直接に捻じ込んで強固に固定できるため、作業が著しく敏速化される効果と、ステンレス製のタッピングビスを使用しているため、錆びに対応すると共に、長期間に亘って確実に強度を持った固定ができる効果もある。
【考案を実施するための最良の形態】
【０００６】  上記のように構成されているハニカム状に展開された相対する型枠ブロック（Ａ）及び（Ｂ）による側面に形成された相対する湾曲凸部のみの接合する連結部（３）とに少なくとも上下２ヶ所にステンレス製のタッピングビス（６）（６）を以って図１のように固着する。該型枠ブロック（Ａ）及び（Ｂ）に開口された空間部（８）（８）内に充填剤として玉石または砕石（１０）等を充填するか、または、該空間部（８）（８）に植生土を入れ、表面に植栽（１６）をするものである。更に、河川護岸及び河床安定用等に敷設して使用するものである。
【実施例】
【０００７】  次に、本考案の実施例を図面について説明すると、図１に示す様に、ハニカム状に展開された、型枠ブロック（Ａ）と、型枠ブロック（Ｂ）を整列し、該型枠ブロック（Ａ）と、該型枠ブロック（Ｂ）の各々の側面に形成される湾曲凸部（１）と湾曲凹部（２）との接合する連結部（３）（３）には、少なくとも上下２ヶ所にタッピングビス（６）（６）を以って固着する。該タッピングビス（６）（６）は、錆びを防止するために、ユニクロメッキ、もしくは、ステンレス製で形成されたものを使用する。
また、図１に示す様に、各型枠ブロック（Ａ）、（Ｂ）とに設けられている該湾曲凸部（１）と、該湾曲凹部（２）の間に設けられる空間部（８）（８）…には、多数の砕石（１０）（１０）…を挿入する場合と、該空間部（８）（８）との中に土を入れ植栽（１６）（１６）を植生する場合とがある。【０００８】  次に、図２に示すものは、各種の法面（１４）に対して、該型枠ブロック（Ａ）、（Ｂ）とを連接したものを敷設して、表層を安定化した状態を示したものであって、符号（１５）は、所定位置に植設したアンカーを示し、符号（１７）は、土壌を表わしたものである。【０００９】  図３に示すものは、本考案の型枠ブロック（Ａ）と型枠ブロック（Ｂ）との連結部（３）に、タッピングビス（６）と、タッピングビス（６）（６）を挿着した状態を示したものである。なお、該タッピングビス（６）（６）の径は、５ｍｍが最も良好の結果を得たものである。
また、図４に示すものは、該型枠ブロック（Ａ）と該型枠ブロック（Ｂ）との湾曲凹部（２）（２）との接合面を除いた帯辺の部分に多数の排水孔等の役目を示す貫通孔（７）（７）を穿設してある。
更に、図５に示す実施例のものは、型枠ブロック（Ａ）又は型枠ブロック（Ｂ）との二重の端縁（９）と横方向に隣接する型枠ブロック（Ｃ）との二重の端縁（９）との四重の連結部にタッピングビス（６）（６）を螺子着したものである。
そして、図６に示すものは、図５に示すＡ−Ａ線のタッピングビスが螺子着した状態を示している。【００１０】  図７に示すものは、従来の型枠ブロックの帯辺（１１）（１１）の接合部（１２）に段設して設けた金属製のステープル（１３）（１３）を打設したものを示したものである。
【図面の簡単な説明】
【００１１】
【図１】  本考案の型枠ブロックに隣接する型枠ブロックとの連結された一部欠除した斜面図である。
【図２】  本考案の法面に対して型枠ブロックを敷設した状態の断面図である。である。
【図３】  本考案の型枠ブロックのタッピングビスによる連結状態を示す一部欠除した斜面図である。
【図４】  同じく本考案の型枠ブロックの帯辺の所定位置に貫通孔を設けた一部欠除した斜面図である。
【図５】  本発明の型枠ブロック（Ａ）又は（Ｂ）の端縁と隣接する型枠ブロック（Ｃ）との接続状態を示した一部欠除した斜面図である。
【図６】  本発明の図５に示すＡ−Ａ線の縦断側面図である。
【図７】  従来の型枠の相対する帯辺部分の接合面に金属ステープルを使用した一部欠除した斜面図である。
【符号の説明】
【００１２】Ａ、Ｂ、Ｃ    型枠ブロック
１、４        湾曲凸部
２、５        湾曲凹部
３            連結部
６            タッピングビス
７            貫通孔
８            空間部
９            端縁
１０          砕石
１１          帯辺
１２          接合部
１３          金属ステープル
１４          法面
１５          アンカー
１６          植栽
１７          土壌
【図１】
0003128107.tif 000003
【図２】
0003128107.tif 000004
【図３】
0003128107.tif 000005
【図４】
0003128107.tif 000006
【図５】
0003128107.tif 000007
【図６】
0003128107.tif 000008
【図７】
0003128107.tif 000009